【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を備え、
ここにおいて、送信のために前記ワイヤレスメッセージを供給することが、前記第１のトーンプランおよび前記第２のトーンプランに従って、前記第１の割振りユニットおよび前記第２の割振りユニット上でデータを別々に符号化またはインターリーブすることを備える、ワイヤレス通信の方法。
【請求項２】
前記ワイヤレスデバイスによる１つまたは複数のワイヤレスメッセージの通信のために、第３のトーンプランに関連する第３の割振りユニットを割り振ることをさらに備え、ここにおいて、前記組合せトーンプランを前記選択することが、前記第３のトーンプランにさらに基づく、請求項１に記載の方法。
【請求項３】
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、請求項１に記載の方法。
【請求項４】
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、請求項１に記載の方法。
【請求項５】
送信のために前記ワイヤレスメッセージを供給することが、前記組合せトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとを備える、請求項１に記載の方法。
【請求項６】
前記組合せトーンプランを選択することが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを形成することを備える、請求項１に記載の方法。
【請求項７】
前記ワイヤレスデバイスがアクセスポイントを備え、ここにおいて、送信のために前記ワイヤレスメッセージを供給することが、前記アクセスポイントによってサービスされる移動局に、前記アクセスポイントの送信機およびアンテナを通して前記ワイヤレスメッセージを送信することを備える、または、
前記ワイヤレスデバイスが移動局を備え、ここにおいて、送信のために前記ワイヤレスメッセージを供給することが、前記移動局をサービスするアクセスポイントに、前記移動局の送信機およびアンテナを通して前記メッセージを送信することを備える、請求項１に記載の方法。
【請求項８】
ワイヤレスデバイスによる１つまたは複数のワイヤレスメッセージの通信のために、第１のトーン数を有する第１のトーンプランに関連する第１の割振りユニットを割り振るための手段と、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振るための手段と、
少なくとも前記第１のトーンプランおよび前記第２のトーンプランに基づく、前記ワイヤレスデバイスのための組合せトーンプランを選択するための手段と、
前記組合せトーンプランに従って、前記ワイヤレスデバイスによる送信のためにワイヤレスメッセージを供給するための手段と、
前記第１のトーンプランおよび前記第２のトーンプランに従って、前記第１の割振りユニットおよび前記第２の割振りユニット上でデータを別々に符号化またはインターリーブすることによって、送信のために前記ワイヤレスメッセージを供給するための手段と、
を備える、ワイヤレス通信のための装置。
【請求項９】
前記ワイヤレスデバイスによる１つまたは複数のワイヤレスメッセージの通信のために、第３のトーンプランに関連する第３の割振りユニットを割り振るための手段をさらに備え、前記組合せトーンプランを選択するための手段が、前記第３のトーンプランにさらに基づく、請求項８に記載の装置。
【請求項１０】
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、請求項８に記載の装置。
【請求項１１】
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、請求項８に記載の装置。
【請求項１２】
送信のために前記ワイヤレスメッセージを供給するための前記手段が、関連するトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとによって、送信のために前記ワイヤレスメッセージを供給するように構成される、請求項８に記載の装置。
【請求項１３】
組合せトーンプランを選択するための前記手段が、
前記第１の割振りユニット、前記第２の割振りユニット、および前記ワイヤレスデバイスに割り振られた他の割振りユニット中に含まれるすべてのデータトーンの和に、データトーン数を設定することによって、前記組合せトーンプランを形成することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを選択するように構成される、請求項８に記載の装置。
【請求項１４】
前記装置が、
アクセスポイントを備え、前記装置が、前記アクセスポイントによってサービスされる移動局に前記ワイヤレスメッセージを送信するように構成される送信機およびアンテナをさらに備える、または、
移動局を備え、前記装置が、前記移動局をサービスするアクセスポイントに前記ワイヤレスメッセージを送信するように構成される送信機およびアンテナをさらに備える、請求項８に記載の装置。
【請求項１５】
実行されるとき、コンピュータに、請求項１乃至７のいずれか１項に記載の方法を実行させる命令を備える、コンピュータプログラム。
【手続補正２】
【補正対象書類名】明細書
【補正対象項目名】０２５４
【補正方法】変更
【補正の内容】
【０２５４】
[00309]上記は本開示の態様を対象とするが、本開示の他の態様およびさらなる態様は、それの基本的範囲から逸脱することなく考案され得、それの範囲は以下の特許請求の範囲によって決定される。
以下に、本願出願の当初の特許請求の範囲に記載された発明を付記する。
［Ｃ１］
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を備える、ワイヤレス通信の方法。
［Ｃ２］
前記ワイヤレスデバイスによる１つまたは複数のワイヤレスメッセージの通信のために、第３のトーンプランに関連する第３の割振りユニットを割り振ることをさらに備え、ここにおいて、前記組合せトーンプランを前記選択することが、前記第３のトーンプランにさらに基づく、Ｃ１に記載の方法。
［Ｃ３］
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、Ｃ１に記載の方法。
［Ｃ４］
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、Ｃ１に記載の方法。
［Ｃ５］
前記組合せトーンプランを選択することが、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することと、
を備える、Ｃ１に記載の方法。
［Ｃ６］
前記組合せトーンプランを選択することが、
１０６トーン割振りユニットと組み合わせられた５２トーン割振りユニットに基づく１５０個のデータトーンを有するトーンプラン、
２４２トーン割振りユニットと組み合わせられた５２トーン割振りユニットに基づく２８２個のデータトーンを有するトーンプラン、
２４２トーン割振りユニットと組み合わせられた１０６トーン割振りユニットに基づく３３６個のデータトーンを有するトーンプラン、
４８４トーン割振りユニットと組み合わせられた５２トーン割振りユニットに基づく５１６個のデータトーンを有するトーンプラン、
４８４トーン割振りユニットと組み合わせられた１０６トーン割振りユニットに基づく５７０個のデータトーンを有するトーンプラン、
４８４トーン割振りユニットと組み合わせられた２４２トーン割振りユニットに基づく７０２個のデータトーンを有するトーンプラン、
９９６トーン割振りユニットと組み合わせられた５２トーン割振りユニットに基づく１０２８個のデータトーンを有するトーンプラン、
９９６トーン割振りユニットと組み合わせられた１０６トーン割振りユニットに基づく１０８２個のデータトーンを有するトーンプラン、
９９６トーン割振りユニットと組み合わせられた２４２トーン割振りユニットに基づく１２１４個のデータトーンを有するトーンプラン、
９９６トーン割振りユニットと組み合わせられた４８４トーン割振りユニットに基づく１４４８個のデータトーンを有するトーンプラン、または
４８４トーン割振りユニットおよび９９６トーン割振りユニットと組み合わせられた２４２トーン割振りユニットに基づく１６８２個のデータトーンを有するトーンプラン、  のうちの少なくとも１つを選択することを備える、Ｃ１に記載の方法。
［Ｃ７］
前記ワイヤレスメッセージを供給することが、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のために前記ワイヤレスメッセージを供給することを備える、Ｃ１に記載の方法。
［Ｃ８］
送信のために前記ワイヤレスメッセージを供給することが、前記第１のトーンプランおよび前記第２のトーンプランに従って、前記第１の割振りユニットおよび前記第２の割振りユニット上でデータを別々に符号化またはインターリーブすることを備える、Ｃ１に記載の方法。
［Ｃ９］
送信のために前記ワイヤレスメッセージを供給することが、前記組合せトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとを備える、Ｃ１に記載の方法。
［Ｃ１０］
前記組合せトーンプランを選択することが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを形成することを備える、Ｃ１に記載の方法。
［Ｃ１１］
前記組合せトーンプランを選択することが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
前記第１の割振りユニット、前記第２の割振りユニット、および前記ワイヤレスデバイスに割り振られた他の割振りユニット上で、データを一緒に符号化およびインターリーブすることと、
によって前記組合せトーンプランを形成することを備える、Ｃ１に記載の方法。
［Ｃ１２］
前記ワイヤレスデバイスがアクセスポイントを備え、ここにおいて、送信のために前記ワイヤレスメッセージを供給することが、前記アクセスポイントによってサービスされる移動局に、前記アクセスポイントの送信機およびアンテナを通して前記ワイヤレスメッセージを送信することを備える、Ｃ１に記載の方法。
［Ｃ１３］
前記ワイヤレスデバイスが移動局を備え、ここにおいて、送信のために前記ワイヤレスメッセージを供給することが、前記移動局をサービスするアクセスポイントに、前記移動局の送信機およびアンテナを通して前記メッセージを送信することを備える、Ｃ１に記載の方法。
［Ｃ１４］
命令を記憶するメモリと、
前記メモリと結合される処理システムであって、
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を行うために前記命令を実行するように構成された処理システムと、
を備える、ワイヤレス通信するように構成された装置。
［Ｃ１５］
前記処理システムが、前記ワイヤレスデバイスによる１つまたは複数のワイヤレスメッセージの通信のために、第３のトーンプランに関連する第３の割振りユニットをさらに割り振ることと、さらに前記第３のトーンプランに基づく前記組合せトーンプランを選択することとを行うようにさらに構成された、Ｃ１４に記載の装置。
［Ｃ１６］
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有する、Ｃ１４に記載の装置。
［Ｃ１７］
前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、Ｃ１４に記載の装置。
［Ｃ１８］
前記処理システムが、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択することと、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択することと、
によって前記組合せトーンプランを選択するように構成された、Ｃ１４に記載の装置。
［Ｃ１９］
前記処理システムが、
１０６トーン割振りユニットと組み合わせられた５２トーン割振りユニットに基づく１５０個のデータトーンを有するトーンプラン、
２４２トーン割振りユニットと組み合わせられた５２トーン割振りユニットに基づく２８２個のデータトーンを有するトーンプラン、
２４２トーン割振りユニットと組み合わせられた１０６トーン割振りユニットに基づく３３６個のデータトーンを有するトーンプラン、
４８４トーン割振りユニットと組み合わせられた５２トーン割振りユニットに基づく５１６個のデータトーンを有するトーンプラン、
４８４トーン割振りユニットと組み合わせられた１０６トーン割振りユニットに基づく５７０個のデータトーンを有するトーンプラン、
４８４トーン割振りユニットと組み合わせられた２４２トーン割振りユニットに基づく７０２個のデータトーンを有するトーンプラン、
９９６トーン割振りユニットと組み合わせられた５２トーン割振りユニットに基づく１０２８個のデータトーンを有するトーンプラン、
９９６トーン割振りユニットと組み合わせられた１０６トーン割振りユニットに基づく１０８２個のデータトーンを有するトーンプラン、
９９６トーン割振りユニットと組み合わせられた２４２トーン割振りユニットに基づく１２１４個のデータトーンを有するトーンプラン、
９９６トーン割振りユニットと組み合わせられた４８４トーン割振りユニットに基づく１４４８個のデータトーンを有するトーンプラン、または
４８４トーン割振りユニットおよび９９６トーン割振りユニットと組み合わせられた２４２トーン割振りユニットに基づく１６８２個のデータトーンを有するトーンプラン、のうちの少なくとも１つを選択することによって、前記組合せトーンプランを選択するように構成された、Ｃ１４に記載の装置。
［Ｃ２０］
送信のために前記ワイヤレスメッセージを供給することが、１９２トーンプラン、３２０トーンプラン、３８４トーンプラン、５７６トーンプラン、６４０トーンプラン、７６８トーンプラン、１０８８トーンプラン、１１５２トーンプラン、１２８０トーンプラン、１５３６トーンプラン、または１７９２トーンプランのうちの１つに従って、１５ＭＨｚチャネル、２５ＭＨｚチャネル、３０ＭＨｚチャネル、４５ＭＨｚチャネル、５０ＭＨｚチャネル、６０ＭＨｚチャネル、８５ＭＨｚチャネル、９０ＭＨｚチャネル、１００ＭＨｚチャネル、１２０ＭＨｚチャネル、または１４０ＭＨｚチャネルのうちの１つ上での送信のために前記ワイヤレスメッセージを供給することを備える、Ｃ１４に記載の装置。
［Ｃ２１］
前記処理システムが、前記第１のトーンプランおよび前記第２のトーンプランに従って、前記第１の割振りユニットおよび前記第２の割振りユニット上でデータを別々に符号化またはインターリーブすることによって、送信のために前記ワイヤレスメッセージを供給するように構成された、Ｃ１４に記載の装置。
［Ｃ２２］
前記処理システムが、関連するトーンプランに従って、１つのユーザに割り振られた前記第１の割振りユニットと前記第２の割振りユニットの両方上でデータを一緒に符号化することと、前記第１の割振りユニットおよび前記第２の割振りユニットを独立してインターリーブすることとによって、送信のために前記ワイヤレスメッセージを供給するように構成された、Ｃ１４に記載の装置。
［Ｃ２３］
前記処理システムが、
前記第１の割振りユニット、前記第２の割振りユニット、および前記ワイヤレスデバイスに割り振られた他の割振りユニット中に含まれるすべてのデータトーンの和に、データトーン数を設定することによって、前記組合せトーンプランを形成することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
バイナリ畳み込みコードインターリービング深度（ＮＣＯＬ）および低密度パリティチェックトーンマッピング距離（ＤＴＭ）に従って、前記第１の割振りユニットおよび前記第２の割振りユニットを別々に符号化またはインターリーブすることと、
によって前記組合せトーンプランを選択するように構成された、Ｃ１４に記載の装置。
［Ｃ２４］
前記処理システムが、
前記第１の割振りユニット、前記第２の割振りユニット、および前記ワイヤレスデバイスに割り振られた他の割振りユニット中に含まれるすべてのデータトーンの和に、データトーン数を設定することと、
前記第１の割振りユニット、前記第２の割振りユニット、および前記ワイヤレスデバイスに割り振られた他の割振りユニット中に含まれるすべてのパイロットトーンの和に、パイロットトーン数を設定することと、
前記第１の割振りユニット、前記第２の割振りユニット、および前記ワイヤレスデバイスに割り振られた他の割振りユニット上で、一緒に符号化およびインターリーブすることと、
によって前記組合せトーンプランを形成することによって、前記組合せトーンプランを選択するように構成された、Ｃ１４に記載の装置。
［Ｃ２５］
前記装置がアクセスポイントを備え、前記装置が、前記アクセスポイントによってサービスされる移動局に前記ワイヤレスメッセージを送信するように構成された送信機およびアンテナをさらに備える、Ｃ１４に記載の装置。
［Ｃ２６］
前記装置が移動局を備え、前記装置が、前記移動局をサービスするアクセスポイントに前記ワイヤレスメッセージを送信するように構成された送信機およびアンテナをさらに備える、Ｃ１４に記載の装置。
［Ｃ２７］
ワイヤレスデバイスによる１つまたは複数のワイヤレスメッセージの通信のために、第１のトーン数を有する第１のトーンプランに関連する第１の割振りユニットを割り振るための手段と、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振るための手段と、
少なくとも前記第１のトーンプランおよび前記第２のトーンプランに基づく、前記ワイヤレスデバイスのための組合せトーンプランを選択するための手段と、
前記組合せトーンプランに従って、前記ワイヤレスデバイスによる送信のためにワイヤレスメッセージを供給するための手段と、
を備える、ワイヤレス通信のための装置。
［Ｃ２８］
前記第１の割振りユニットが、２４個のデータトーン、４８個のデータトーン、１０２個のデータトーン、２３４個のデータトーン、４６８個のデータトーン、または９８０個のデータトーンのうちの１つを有し、前記第２の割振りユニットが、２４個のデータトーン、４８個のデータトーン、１０２個のデータトーン、２３４個のデータトーン、４６８個のデータトーン、または９８０個のデータトーンのうちの１つを有し、ここにおいて、前記第１の割振りユニットが、２６個の総トーン、５２個の総トーン、１０６個の総トーン、２４２個の総トーン、４８４個の総トーン、または９９６個の総トーンのうちの１つを有し、前記第２の割振りユニットが、２６個の総トーン、５２個の総トーン、１０６個の総トーン、２４２個の総トーン、４８４個の総トーン、または９９６個の総トーンのうちの１つを有する、Ｃ２７に記載の装置。
［Ｃ２９］
前記組合せトーンプランを選択するための手段が、
２つまたはそれ以上の２６トーン割振りユニット、５２トーン割振りユニット、１０６トーン割振りユニット、２４２トーン割振りユニット、４８４トーン割振りユニット、および９９６トーン割振りユニットの組合せを選択するための手段と、
前記選択された組合せに基づく前記組合せトーンプランとして、１５０個のデータトーン、２８２個のデータトーン、３３６個のデータトーン、５１６個のデータトーン、５７０個のデータトーン、７０２個のデータトーン、１０２８個のデータトーン、１０８２個のデータトーン、１２１４個のデータトーン、１４４８個のデータトーン、または１６８２個のデータトーンのうちの１つを有するトーンプランを選択するための手段と、
を備える、Ｃ２７に記載の装置。
［Ｃ３０］
実行されたとき、装置に、
ワイヤレスデバイスによる１つまたは複数のワイヤレスメッセージの通信のために、第１のトーン数を有する第１のトーンプランに関連する第１の割振りユニットを割り振ることと、
前記ワイヤレスデバイスによる１つまたは複数のワイヤレスメッセージの通信のために、前記第１のトーン数とは異なる第２のトーン数を有する第２のトーンプランに関連する第２の割振りユニットを割り振ることと、
少なくとも前記第１のトーンプランおよび前記第２のトーンプランに基づく、前記ワイヤレスデバイスのための組合せトーンプランを選択することと、
前記組合せトーンプランに従って、前記ワイヤレスデバイスによる送信のためにワイヤレスメッセージを供給することと、
を行わせるコードを備える非一時的コンピュータ可読媒体。